(57)【特許請求の範囲】
【請求項１】
室内障子側に固定されるベース部材と、該ベース部材に回動軸を介して回動自在に設けられたクレセントと、該クレセントを回動操作する操作レバーとを有する施錠側金具、及び室外障子側に固定され上記クレセントが係合するクレセント受け金具からなると共に、施錠側金具に施錠時に操作レバーの回動を阻止するサブロック機構が設けられたクレセント錠であって、
上記サブロック機構は、上記操作レバーの回動軸に設けられ周面にサブロック用係合段部を有する回動子と、そのサブロック用係合段部に係合することにより回動子の回動を阻止するサブロック位置と回動子の回動を許容するサブロック解除位置との間でスライド可能に設けられ第１付勢手段によりサブロック位置側方向に付勢されたサブロック操作片と、該サブロック操作片がサブロック解除位置に移動された際にサブロック操作片に形成した係合受け部に係合して該サブロック操作片をサブロック解除位置に仮保持する揺動可能なカムと、該カムを仮保持位置側方向に付勢する第２付勢手段とを備え、上記サブロック操作片はサブロック解除位置に移動してから再びサブロック位置に戻すことが可能であり、上記サブロック操作片がサブロック解除位置に保持された状態で操作レバーを回動操作した際に回動子の一部が上記カムを揺動させることによりサブロック操作片の仮保持を解除することを特徴とするクレセント錠。
【請求項２】
請求項１記載のクレセント錠を備えたことを特徴とするサッシ。
【発明の詳細な説明】
【技術分野】
【０００１】
本発明は、サブロック機構を有するクレセント錠及び該クレセント錠を備えたサッシに関するものである。
【背景技術】
【０００２】
引違い窓等のサッシには、その施錠装置としてクレセント錠が用いられている（例えば特許文献１参照）。このクレセント錠は、例えば図６に示すように、室内障子の縦框（召し合せ框）に取付けられるベース部材９と、このベース部材９に対して回動軸１０を介して回動自在に取付けられたクレセント（図示省略）と、このクレセントを回動操作する操作レバー１２とを有する施錠側金具、及び室外側障子の縦框（召し合せ框）に取付けられ上記クレセントが係合するクレセント受け金具（図示省略）からなっている。上記操作レバー１２を掴んで略１８０°の範囲で回動することにより、障子閉鎖状態においてクレセントをクレセント受け金具に係合離脱させるように構成されている。
【０００３】
上記クレセント錠においては、施錠状態においてクレセントの回動を阻止するために、上下方向にスライド可能なサブロック操作片２１を有するサブロック機構が採用されている。また、手動操作によるサブロック操作片２１の操作の煩わしさとサブロックの掛け忘れを解消するために、施錠時に自動的にクレセントの回動を阻止するように動作するサブロック機構を備えると共に、サブロックの解除操作を片手で行えるようにしたクレセント錠が提案されている（特許文献１参照）。
【０００４】
このクレセント錠においては、サブロック操作片２１がサブロック解除位置に移動された際にサブロック操作片２１をサブロック解除位置に仮保持するため、ベース部材９に係合凹部４０が設けられ、サブロック操作片２１には上記係合凹部４０に合成樹脂からなる自らの弾性力で係合する係合部材４１が一体的に設けられている。
【０００５】
【特許文献１】特開２００６−７０５６０号公報
【発明の開示】
【発明が解決しようとする課題】
【０００６】
しかしながら、上記クレセント錠においては、サブロック操作片２１をサブロック解除位置に仮保持する係合部材４１がサブロック操作片２１に設けられ、合成樹脂の弾性力を利用しているため、熱や湿度、物性特性などの影響で変形する恐れがあり、クリック力（仮保持力）が安定しないという問題がある。特に、自動サブロックの場合、サブロック操作片２１がバネでサブロック位置側方向（下方）に付勢されているため、上記クリック力が弱くなると、サブロック解除位置（上方）での仮保持が困難となる。また、上記クリック力を予め強く設定した場合、サブロック操作片を一旦上方（サブロック解除位置）に操作してから再び下方（サブロック位置）に強制的に操作するときに、大きな操作力が必要になり、操作性が低下する。
【０００７】
本発明は、上記事情を考慮してなされたものであり、サブロック機構の安定したクリック力及び操作性を確保することができるクレセント錠及び該クレセント錠を備えたサッシを提供することを目的とする。
【課題を解決するための手段】
【０００８】
本発明のうち、請求項１の発明は、室内障子側に固定されるベース部材と、該ベース部材に回動軸を介して回動自在に設けられたクレセントと、該クレセントを回動操作する操作レバーとを有する施錠側金具、及び室外障子側に固定され上記クレセントが係合するクレセント受け金具からなると共に、施錠側金具に施錠時に操作レバーの回動を阻止するサブロック機構が設けられたクレセント錠であって、
上記サブロック機構は、上記操作レバーの回動軸に設けられ周面にサブロック用係合段部を有する回動子と、そのサブロック用係合段部に係合することにより回動子の回動を阻止するサブロック位置と回動子の回動を許容するサブロック解除位置との間でスライド可能に設けられ第１付勢手段によりサブロック位置側方向に付勢されたサブロック操作片と、該サブロック操作片がサブロック解除位置に移動された際にサブロック操作片に形成した係合受け部に係合して該サブロック操作片をサブロック解除位置に仮保持する揺動可能なカムと、該カムを仮保持位置側方向に付勢する第２付勢手段とを備え、上記サブロック操作片はサブロック解除位置に移動してから再びサブロック位置に戻すことが可能であり、上記サブロック操作片がサブロック解除位置に保持された状態で操作レバーを回動操作した際に回動子の一部が上記カムを揺動させることによりサブロック操作片の仮保持を解除することを特徴とするクレセント錠である。
【０００９】
請求項２の発明は、請求項１記載のクレセント錠を備えたことを特徴とするサッシである。
【発明の効果】
【００１０】
本発明によれば、サブロック操作片をサブロック解除位置に仮保持するために、サブロック操作片の係合受け部に係合してサブロック片をサブロック解除位置に仮保持する揺動可能なカムと、該カムを仮保持位置側方向に付勢する第２付勢手段とを採用しているため、樹脂の弾性力でクリック力を出した従来のクレセント錠に比してサブロック機構の安定したクリック力及び操作性を確保することができる。
【発明を実施するための最良の形態】
【００１１】
以下に、本発明を実施するための最良の形態について、添付図面を基に詳述する。図１は本発明の実施の形態であるクレセント錠を備えたサッシを概略的に示す室内側正面図、図２は図１のＡ−Ａ線拡大断面図、図３はクレセント錠を示す図で、（ａ）は正面図、（ｂ）は左側面図、（ｃ）は右側面図、（ｄ）は平面図、図４はクレセント錠の内部構造を示す背面図、図５は補助ロック機構の作動を説明する説明図である。
【００１２】
図１において、１は例えば引違い式のサッシで、建物の躯体の開口部に取付けられる方形に組み立てられた枠体２を有している。この枠体２内には、内障子３と、外障子４がスライド開閉可能に取付けられている。内障子３及び外障子４は、上框５ａ，６ａ、下框５ｂ，６ｂ及び左右の縦框５ｃ，５ｄ，６ｃ，６ｄにより方に組み立てられた框体５，６の内側にガラス７を嵌め込んで構成されている。
【００１３】
上記サッシ１には、内外の障子３，４を閉鎖状態で施錠するためのクレセント錠８が設けられている。このクレセント錠８は、図２乃至図５に示すように室内障子側である内召し合わせ框５ｃに固定されるベース部材９と、該ベース部材９に回動軸１０を介して回動自在に設けられたクレセント１１と、該クレセント１１を回動操作する操作レバー１２とを有する施錠側金具１３、及び室外障子側である外召し合わせ框６ｃに固定され上記クレセント１１が係合するクレセント受け金具１４からなっている。上記施錠側金具１３には、内外の障子３，４が正常閉鎖位置にない時に上記操作レバー１２の回動を阻止してクレセント１１がクレセント受け金具１４に対し空掛け状態になるのを防止する空掛け防止装置１５が設けられている。なお、空掛け防止装置１５の構成については特許第３６５０１９５号公報等により公知であるため説明を省略する。
【００１４】
上記施錠側金具１３には、施錠時に操作レバー１２の回動を阻止するサブロック機構１６が設けられている。上記サブロック機構１６は、上記操作レバー１２の回動軸１０に設けられ周面にサブロック用係合段部（以下単に係合段部ともいう。）１７を有する回動子１８と、そのサブロック用係合段部１７に係合することにより回動子１８の回動を阻止するサブロック位置イと回動子１８の回動を許容するサブロック解除位置ニとの間でスライド可能に設けられ第１付勢手段である板バネ２０によりサブロック位置側方向（図４の下方）に付勢されたサブロック操作片２１と、該サブロック操作片２１がサブロック解除位置に移動された際にサブロック操作片２１に形成した係合受け部２２に係合して該サブロック操作片２１をサブロック解除位置に仮保持する揺動可能なカム２３と、該カム２３を仮保持位置側方向（図４の反時計方向）に付勢する第２付勢手段である金属製のバネ（ねじりコイルバネともいう）２４とを備えている。上記係合段部１７は、例えば金属製の回動子の外周の一部に形成された舌片部を断面Ｌ字状に曲げ加工することにより形成されている。
【００１５】
図５（ａ）は操作ハンドルが解錠位置でサブロックが施錠位置の場合を、図５（ｂ）は操作ハンドルが施錠途中でサブロックが施錠途中位置の場合を、図５（ｃ）は操作ハンドルが施錠位置でサブロックが施錠位置の場合を、図５（ｄ）は操作ハンドルが施錠位置でサブロックが解除位置の場合を、図５（ｅ）は操作ハンドルが解錠途中でサブロックが解除位置の場合をそれぞれ示している。上記サブロック操作片２１は、上記ベース部材９の一側壁（図５の左側壁、室内側）の内側面に上下方向にスライド可能に摺接された上下に長い摺動部２１ａを有し、該摺動部２１ａの上部には内方（図５の右方）へ向かって山形に隆起した隆起部２５が形成され、この隆起部２５の上面に上記板バネ２０の先端部が当接されている。上記板バネ２０は略Ｖ字状に折り曲げられており、その上側の一端部（基端部）が上記回動子１８よりも上方の上部空間領域に収容保持されている。上記摺動部２１ａの下部には内方へ向かって隆起した断面半円状の突起部２６が形成されており、この突起部２６と該突起部２６より下方の摺動部２１ａ下部内側面とにより上記係合受け部２２が構成されている。
【００１６】
ベース部材９の他側壁（図５の右側壁、室外側）の内面には操作レバー１２を施錠位置に操作したときに上記係合段部１７が当接する上部ストッパー部２７と、操作レバー１２を解錠位置に操作したときに上記係合段部１７が当接する下部ストッパー部２８とが形成されている。上記係合段部１７が下部ストッパー部２８から上部ストッパー部２７に向かって回動する途中で図５（ｂ）に示すように上記隆起部２５の下面を押し上げながら該隆起部２５を乗り越えて上部ストッパー部２７と隆起部２５との間に至ると図５（ｃ）に示すように隆起部２５が板バネ２０の付勢力によりサブロック位置に押し下げられるようになっている。そして、このサブロック位置のサブロック操作片２１の隆起部２５と上部ストッパー部２７との間で上記係合段部１７が挟まれ、操作レバー１２の回動が阻止すなわちサブロックされるようになっている。
【００１７】
上記カム２３は、上記回動子１８よりも下方の下部空間領域に支軸３０を介して揺動可能に軸支されている。上記支軸３０はベース部材９の内面に突設され、支軸３０の先端にはカム２３の軸方向への移動を規制するワッシャー３１が取付けられている。また、支軸３０にはカム２３を仮保持位置側方向に付勢する上記バネ２４が取付けられている。カム２３は、サブロック操作片２１がサブロック位置にあるときにその突起部２６に当接しており、サブロック操作片２１をサブロック解除位置に押し上げたときに係合受け部２２に係合する係合部３３と、この係合状態のときに操作レバー１２を解錠位置に戻すと、回動子１８の係合段部１７が下部ストッパー部２８に当接する直前に該係合段部１７により押圧されることにより上記係合部３２を係合受け部２２から離反させるべくカム２３をバネ２４の付勢力に抗して時計方向に回動させる被押圧部３３とが形成されている。
【００１８】
上記係合部３２及び被押圧部３３は、図５の（ｅ）に示すように支軸３０を中心として左右に分かれ斜め上方に突出されている。特に、上記係合部３２は、一旦サブロック操作片２１を図５（ｄ）のサブロック解除位置に押し上げてから再び図５（ｃ）のサブロック位置に強制的に押し下げるときに、係合受け部２２との係合状態を容易に解除できるよう曲面状に形成されていることが好ましい。この場合、係合部３２の曲面は、突起部２６の曲面よりも大きな曲率半径で形成されていることが更に好ましい。
【００１９】
上記ベース部材９の内部において、該ベース部材９に突設された突軸３４と、回動子１８の一部に突設された引っ掛け部３５との間には、操作レバー１２の回動に伴って該操作レバー１２を解錠位置側方向又は施錠位置側方向に選択的に付勢するための第３付勢手段であるコイルバネ３６が掛け渡されて取付けられている。
【００２０】
以上の構成からなるクレセント錠８ないし該クレセント錠８を備えたサッシ１においては、内外の障子３，４を閉鎖状態にし、図５の（ａ）〜（ｃ）に示すようにクレセント１１の操作レバー１２を解錠位置から施錠位置に回動操作すると、回動子１８の周面の一部に設けられた係合段部１７が下部ストッパー部２８に当接する位置から上部ストッパー部２７に当接する位置まで回動し、その途中で、係合段部１７がサブロック操作片２１の摺動部２１ａに形成された隆起部２５の下面を押し上げながら該隆起部２５を乗り越えて上部ストッパー部２７と隆起部２５との間に至ると、隆起部２５が板バネ２０の付勢力によりサブロック位置に押し下げられ、このサブロック位置のサブロック操作片２１の隆起部２５と上部ストッパー部２７との間で上記係合段部１７が挟まれて規制され、操作レバー１２を回動操作できないように自動的にサブロックされる。この場合、上記摺動部２１ａの上下動は小さいため、摺動部２１ａの係合受け部２２にカム２３の係合部３２が係合することはない。
【００２１】
上記サブロックを解除する場合には、図５（ｄ）に示すようにサブロック操作片２１を掴み、下方のサブロック位置イから上方のサブロック解除位置ロまで押し上げればよく、摺動部２１ａの上昇により突起部２６がカム２３の係合部３２を乗り越え、摺動部２１ａの係合受け部２２にカム２３の係合部３２が係合することにより、サブロック操作片２１がサブロック解除位置に仮保持される。この状態では、上記隆起部２５が係合段部１７の回動軌跡上から上方に離間されているので、操作レバー１２を上方の施錠位置から下方の解錠位置に回動操作することが可能となる。これにより、回動子１８の係合段部１７が上部ストッパー部２７に当接する位置から下部ストッパー部２８に当接する位置に回動し、係合段部１７が下部ストッパー部２８に当接する直前に図５（ｅ）に示すようにカム２３の他端である被押圧部３３をバネ２４の付勢力に抗して押圧することにより、カム２３が支軸３０を支点に時計方向に揺動し、カム２３の係合部３２が摺動部２１ａの係合受け部２２から離間して係合（係止）状態を解除するため、図５（ａ）に示すようサブロック操作片２１が板バネ２０の付勢力により自動的に下方のサブロック位置に復帰される。
【００２２】
なお、サブロック操作片２１を一旦図５（ｄ）に示すようにサブロック解除位置に操作してから、思い直して再びサブロック位置に戻す場合には、サブロック操作片２１を掴み、強制的に下方に押し下げればよく、係合受け部２２へのカム２３の係合部３２の係合が外れ、容易にサブロック位置に復帰させることができる。
【００２３】
特に、上記クレセント錠８又は該クレセント錠８を備えたサッシ１によれば、サブロック操作片２１をサブロック解除位置に仮保持するために、サブロック操作片２１の係合受け部２２に係合してサブロック片２１をサブロック解除位置に仮保持する揺動可能なカム２３と、該カム２３を仮保持位置側方向に付勢する第２付勢手段である金属製のバネ（金属弾性を有するバネ）２４とを採用しているため、樹脂の弾性力でクリック力を出した従来のクレセント錠に比して、熱や湿度、物性特性などの影響で変形する恐れがなく、サブロック機構１６の安定したクリック力及び操作性を確保することができると共に、熱影響等による経年変化が少なく、耐久性の向上が図れる。
【００２４】
また、サブロック操作片２１をサブロック位置に付勢する第１付勢手段として板バネ２０を用いているため、コイルバネに比してその取付けスペースが小さくて済み、クレセント錠８の小型化が図れる。また、上記クレセント錠８を採用することにより、防犯性の向上が図れる。
【００２５】
以上、本発明の実施の形態を図面により詳述してきたが、本発明は上記実施の形態に限定されるものではなく、本発明の要旨を逸脱しない範囲での種々の設計変更等が可能である。
【図面の簡単な説明】
【００２６】
【図１】本発明の実施の形態であるクレセント錠を備えたサッシを概略的に示す室内側正面図である。
【図２】図１のＡ−Ａ線拡大断面図である。
【図３】クレセント錠を示す図で、（ａ）は正面図、（ｂ）は左側面図、（ｃ）は右側面図、（ｄ）は平面図である。
【図４】クレセント錠の内部構造を示す背面図である。
【図５】補助ロック機構の作動を説明する説明図である。
【図６】従来のクレセント錠の一例を示す背面図である。
【符号の説明】
【００２７】
１  サッシ
２  枠体
８  クレセント錠
９  ベース部材
１０  回動軸
１１  クレセント
１２  操作レバー
１３  施錠金具
１４  クレセント受け金具
１６  サブロック機構
１７  サブロック用係合段部
１８  回動子
２０  板バネ（第１付勢手段）
２１  サブロック操作片
２２  係合受け部
２３  カム
２４  バネ（第２付勢手段）
【図１】
0004959472.tif 000002
【図２】
0004959472.tif 000003
【図３】
0004959472.tif 000004
【図４】
0004959472.tif 000005
【図５】
0004959472.tif 000006
【図６】
0004959472.tif 000007